(57)【要約】【課題】電気泳動表示装置のフレームレートを維持するかまたは低下させるかを判断し、消費電力を低減可能なアクティブマトリクス電気泳動表示装置のフレームレート自動調整用の駆動装置及びその駆動方法を提供する。【解決手段】本発明に係るアクティブマトリクス電気泳動表示装置のフレームレート自動調整用の駆動方法は、複数の位相信号を生成する位相信号生成ステップと、Ｎ番目の位相信号及びＮ＋１番目の位相信号を処理する位相信号処理ステップと、論理和演算ステップと、少なくとも１つの駆動電圧選択信号、ラッチ信号及び少なくとも１つのゲート制御信号を出力する出力ステップと、を含む。【選択図】図２
2018032006.tif 000002
【特許請求の範囲】
【請求項１】
アクティブマトリクス電気泳動表示装置のフレームレート自動調整用の駆動装置であって、
少なくとも１つの色を表示するように電気泳動表示装置を駆動するための駆動電圧信号を少なくとも１つ記憶し、各前記駆動電圧信号の複数の信号区間が複数のフレームによって区分される駆動電圧信号メモリと、
前記駆動電圧信号メモリに電気的に接続され、前記駆動電圧信号を読み取るとともに、複数の前記信号区間に対して対応する複数の位相信号を順次生成する位相生成部と、
前記位相生成部に電気的に接続され、複数の前記位相信号を受信するとともに、複数の前記位相信号のうちＮ番目の位相信号及びＮ＋１番目の位相信号（Ｎが正整数）を処理して処理結果を得る位相信号処理部と、
画面データを記憶するための画面データ記憶ユニットと、
前記画面データ記憶ユニットと、前記位相生成部と、前記位相信号処理部とに電気的に接続され、前記画面データと、複数の前記位相信号と、最終フレームレート制御信号とを受信するとともに、少なくとも１つの駆動電圧選択信号と、ラッチ信号と、少なくとも１つのゲート制御信号とを演算して出力する時系列制御ユニットと、
前記時系列制御ユニットに電気的に接続されるとともに、前記ラッチ信号によって出力電圧の変換を起動させることで画素コンデンサに充電するソースドライバと、
前記時系列制御ユニットに電気的に接続されるとともに、前記ゲート制御信号に基づいて前記アクティブマトリクス電気泳動表示装置に電圧を出力するゲートドライバと、を含み、
前記位相信号処理部は、前記処理結果に基づき、前記電気泳動表示装置のフレームレートを維持または低下させるための制御信号を生成する、アクティブマトリクス電気泳動表示装置のフレームレート自動調整用の駆動装置。
【請求項２】
前記位相信号処理部は、複数の前記位相信号のうちＮ番目の位相信号とＮ＋１番目の位相信号とが同じであるか否かを比較して前記処理結果を生成することを特徴とする、請求項１に記載のアクティブマトリクス電気泳動表示装置のフレームレート自動調整用の駆動装置。
【請求項３】
前記位相信号処理部は、複数の前記位相信号のうちＮ番目の位相信号とＮ＋１番目の位相信号とが同一の駆動電圧設定に属するか否かを検出して前記処理結果を生成し、
前記駆動電圧設定は、設定電圧と、前記設定電圧によって維持されるフレーム数とを含むことを特徴とする、請求項１に記載のアクティブマトリクス電気泳動表示装置のフレームレート自動調整用の駆動装置。
【請求項４】
複数の前記駆動電圧信号により生成された複数の制御信号の論理和を演算して前記最終フレームレート制御信号を得るためのＯＲ回路をさらに含むことを特徴とする、請求項１に記載のアクティブマトリクス電気泳動表示装置のフレームレート自動調整用の駆動装置。
【請求項５】
複数の前記駆動電圧信号により生成された複数の制御信号の論理積を演算して前記最終フレームレート制御信号を得るためのＡＮＤ回路をさらに含むことを特徴とする、請求項１に記載のアクティブマトリクス電気泳動表示装置のフレームレート自動調整用の駆動装置。
【請求項６】
前記時系列制御ユニットは、単一の時系列パターンであり、
前記制御信号は、前記時系列パターンの現在のフレームレートに制御して維持するか、またはフレーム数を減らして前記時系列パターンの現在のフレームレートを低下させることを特徴とする、請求項１に記載のアクティブマトリクス電気泳動表示装置のフレームレート自動調整用の駆動装置。
【請求項７】
前記時系列制御ユニットは、２つの時系列パターンであり、
前記制御信号は、前記２つの時系列パターンの切替えを制御することを特徴とする、請求項１に記載のアクティブマトリクス電気泳動表示装置のフレームレート自動調整用の駆動装置。
【請求項８】
アクティブマトリクス電気泳動表示装置のフレームレート自動調整用の駆動方法であって、
少なくとも１つの駆動電圧信号を読み取るとともに、前記駆動電圧信号の複数の信号区間に対して対応する複数の位相信号を順次生成し、複数の前記信号区間が複数のフレームによって区分される位相信号生成ステップと、
複数の前記位相信号を受信し、複数の前記位相信号のうちＮ番目の位相信号及びＮ＋１番目の位相信号（Ｎが正整数）を処理して処理結果を得て、前記処理結果に基づいて前記電気泳動表示装置のフレームレートを維持または低下させるための制御信号を生成する位相信号処理ステップと、
画面データと、複数の位相信号と、最終フレームレート制御信号とを受信し、少なくとも１つの駆動電圧選択信号と、ラッチ信号と、少なくとも１つのゲート制御信号とを出力する出力ステップと、を含むことを特徴とする、アクティブマトリクス電気泳動表示装置のフレームレート自動調整用の駆動方法。
【請求項９】
前記位相信号処理ステップでは、Ｎ番目の位相信号とＮ＋１番目の位相信号とが同じであるか否かを比較して前記処理結果を生成することを特徴とする、請求項８に記載のアクティブマトリクス電気泳動表示装置のフレームレート自動調整用の駆動方法。
【請求項１０】
前記位相信号処理ステップでは、複数の前記位相信号のうちＮ番目の位相信号とＮ＋１番目の位相信号とが同一の駆動電圧設定に属するか否かを検出して前記処理結果を生成し、
前記駆動電圧設定は、設定電圧と、前記設定電圧によって維持されるフレーム数とを含むことを特徴とする、請求項８に記載のアクティブマトリクス電気泳動表示装置のフレームレート自動調整用の駆動方法。
【請求項１１】
前記位相信号処理ステップの後、
複数の前記駆動電圧信号により生成された複数の制御信号の論理和を演算して前記最終フレームレート制御信号を得る論理和演算ステップをさらに含むことを特徴とする、請求項８に記載のアクティブマトリクス電気泳動表示装置のフレームレート自動調整用の駆動方法。
【請求項１２】
前記位相信号処理ステップの後、
複数の前記駆動電圧信号により生成された複数の制御信号の論理積を演算して前記最終フレームレート制御信号を得る論理積演算ステップをさらに含むことを特徴とする、請求項８に記載のアクティブマトリクス電気泳動表示装置のフレームレート自動調整用の駆動方法。
【発明の詳細な説明】
【技術分野】
【０００１】
本発明は、表示装置の駆動装置及びその駆動方法に関し、特に、アクティブマトリクス電気泳動表示装置のフレームレート自動調整用の駆動装置及びその駆動方法に関する。
【背景技術】
【０００２】
通常の電気泳動表示技術（Ｅｌｅｃｔｒｏ−Ｐｈｏｒｅｔｉｃ  Ｄｉｓｐｌａｙ，ＥＰＤ）とは、電荷を帯びた顔料（ｐｉｇｍｅｎｔ）粒子を制御することにより、紙の印刷物に近い表示品質で文字を表示する技術である。電気泳動表示装置は、双安定性（Ｂｉｓｔａｂｌｅ）を有し、画面更新時のみに電力消費が必要となり、画面更新を必要としない場合にそのままに維持される。また、電気泳動表示装置は、反射型表示装置（Ｒｅｆｌｅｃｔｉｖｅ  Ｄｉｓｐｌａｙ）であり、目が疲れにくく、強い光の下で文字を読みやすいため、読書や製品のラベルなどに適している。すなわち、電気泳動表示技術の駆動原理としては、更新前の表示画面（ＯＬＤ  Ｄａｔａ）及び更新後の表示画面（ＮＥＷ  Ｄａｔａ）を含む、異なる画面状態に対して、異なる波形の駆動電圧を印加する。更新前の表示画面と更新後の表示画面の全ての組合せに対して、異なる駆動電圧信号を印加する。
【０００３】
しかしながら、電気泳動表示技術の応用については、画面更新時の消費電力が重視されている。そのため、画面更新時の消費電力を低減させると、同じ消費電力での画面更新回数を増やすことができ、電子製品ラベルの耐用年数を長くすることができる。従来の電気泳動表示装置の画面更新は、固定フレームレートで行われる。消費電力は、フレームレートの高低によって影響される。具体的に、フレームレートが低い場合に消費電力が少ないが、フレームレートが高い場合、優れた表示品質（高いコントラスト、明確な絵柄）が得られるが、消費電力が多い。すなわち、消費電力と表示品質との両立を実現することができない。
【発明の概要】
【発明が解決しようとする課題】
【０００４】
このように、上記の問題点を解決可能なアクティブマトリクス電気泳動表示装置のフレームレート自動調整用の駆動装置及びその駆動方法を提供することが、本発明が解決しようとする課題となっている。
【課題を解決するための手段】
【０００５】
本発明の主な目的は、位相信号処理部によりＮ番目の位相信号及びＮ＋１番目の位相信号を処理して処理結果を生成し、電気泳動表示装置のフレームレートを維持するかまたは低下させるかを判断し、消費電力を低減可能なアクティブマトリクス電気泳動表示装置のフレームレート自動調整用の駆動装置及びその駆動方法を提供することである。
【０００６】
上記の目的を達成するために、本発明に係るアクティブマトリクス電気泳動表示装置のフレームレート自動調整用の駆動装置は、駆動電圧信号メモリと、位相生成部と、位相信号処理部と、画面データ記憶ユニットと、時系列制御ユニットと、ソースドライバと、ゲートドライバと、ラッチ信号生成部とを含む。前記駆動電圧信号メモリは、少なくとも１つの駆動電圧信号を記憶する。前記駆動電圧信号は、少なくとも１つの色を表示させるように電気泳動表示装置を駆動する。各前記駆動電圧信号の複数の信号区間は、複数のフレームによって区分される。前記位相生成部は、前記駆動電圧信号メモリに電気的に接続され、前記駆動電圧信号を読み取るとともに、複数の前記信号区間に対して対応する複数の位相信号を順次生成する。前記位相信号処理部は、前記位相生成部に電気的に接続され、複数の前記位相信号を受信するとともに、複数の前記位相信号のうちＮ番目の位相信号及びＮ＋１番目の位相信号（Ｎが正整数）を処理して処理結果を得る。前記画面データ記憶ユニットは、画面データを記憶する。時系列制御ユニットは、前記画面データ記憶ユニットと、前記位相生成部と、前記位相信号処理部とに電気的に接続され、前記画面データと、複数の前記位相信号と、最終フレームレート制御信号とを受信するとともに、少なくとも１つの駆動電圧選択信号と、ラッチ信号と、少なくとも１つのゲート制御信号とを演算して出力する。前記ソースドライバは、前記時系列制御ユニットに電気的に接続されるとともに、前記ラッチ信号によって出力電圧の変換を起動させることで画素コンデンサに充電する。前記ゲートドライバは、前記時系列制御ユニットに電気的に接続されるとともに、前記ゲート制御信号に基づいて前記アクティブマトリクス電気泳動表示装置に電圧を出力する。前記位相信号処理部は、前記処理結果に基づき、前記電気泳動表示装置のフレームレートを維持または低下させるための制御信号を生成する。
【０００７】
一実施形態において、前記位相信号処理部は、複数の前記位相信号のうちＮ番目の位相信号とＮ＋１番目の位相信号とが同じであるか否かを比較して前記処理結果を生成する。
【０００８】
一実施形態において、前記位相信号処理部は、複数の前記位相信号のうちＮ番目の位相信号とＮ＋１番目の位相信号とが同一の駆動電圧設定に属するか否かを検出して前記処理結果を生成する。前記駆動電圧設定は、設定電圧と、前記設定電圧によって維持されるフレーム数とを含む。
【０００９】
一実施形態において、前記駆動装置は、複数の前記駆動電圧信号により生成された複数の制御信号の論理和を演算して前記最終フレームレート制御信号を得るためのＯＲ回路をさらに含む。
【００１０】
一実施形態において、前記駆動装置は、複数の前記駆動電圧信号により生成された複数の制御信号の論理積を演算して前記最終フレームレート制御信号を得るためのＡＮＤ回路をさらに含む。
【００１１】
一実施形態において、ラッチ信号生成部は、時系列制御ユニットによりラッチ信号をソースドライバに伝送する。
【００１２】
一実施形態において、前記時系列制御ユニットは、単一の時系列パターンである。前記制御信号は、前記時系列パターンの現在のフレームレートに制御して維持するか、またはフレーム数を減らして前記時系列パターンの現在のフレームレートを低下させる。
【００１３】
一実施形態において、前記時系列制御ユニットは、２つの時系列パターンである。前記制御信号は、前記２つの時系列パターンの切替えを制御する。
【００１４】
上記の目的を達成するために、本発明に係るアクティブマトリクス電気泳動表示装置のフレームレート自動調整用の駆動方法は、位相信号生成ステップと、位相信号処理ステップと、出力ステップとを含む。前記位相信号生成ステップでは、複数の駆動電圧信号を読み取るとともに、前記駆動電圧信号の複数の信号区間に対して対応する複数の位相信号を順次生成する。複数の前記信号区間は、複数のフレームによって区分される。前記位相信号処理ステップでは、複数の前記位相信号を受信し、複数の前記位相信号のうちＮ番目の位相信号及びＮ＋１番目の位相信号（Ｎが正整数）を処理して処理結果を得て、前記処理結果に基づいて前記電気泳動表示装置のフレームレートを維持または低下させるための制御信号を生成する。前記出力ステップでは、画面データと、複数の位相信号と、最終フレームレート制御信号とを受信し、少なくとも１つの駆動電圧選択信号と、ラッチ信号と、少なくとも１つのゲート制御信号とを出力する。
【００１５】
一実施形態において、前記位相信号処理ステップでは、Ｎ番目の位相信号とＮ＋１番目の位相信号とが同じであるか否かを比較して前記処理結果を生成する。
【００１６】
一実施形態において、前記位相信号処理ステップでは、複数の前記位相信号のうちＮ番目の位相信号とＮ＋１番目の位相信号とが同一の駆動電圧設定に属するか否かを検出して前記処理結果を生成する。前記駆動電圧設定は、設定電圧と、前記設定電圧によって維持されるフレーム数とを含む。
【００１７】
一実施形態において、前記駆動方法は、前記位相信号処理ステップの後、複数の前記駆動電圧信号により生成された複数の制御信号の論理和を演算して前記最終フレームレート制御信号を得る論理和演算ステップをさらに含む。
【００１８】
一実施形態において、前記駆動方法は、前記位相信号処理ステップの後、複数の前記駆動電圧信号により生成された複数の制御信号の論理積を演算して前記最終フレームレート制御信号を得る論理積演算ステップをさらに含む。
【００１９】
一実施形態において、位相信号処理ステップでは、前記電気泳動表示装置のフレームレートを低下させようとする場合、前記電気泳動表示装置のフレームレートを維持する場合のフレームレートの１／２〜１／１６までフレームレートを低下させる。
【発明の効果】
【００２０】
本発明に係るアクティブマトリクス電気泳動表示装置のフレームレート自動調整用の駆動装置及びその駆動方法によれば、位相信号処理部は、各駆動電圧信号の複数の信号区間に対応する位相信号に基づき、Ｎ番目の位相信号及びＮ＋１番目の位相信号を処理し、電気泳動表示装置のフレームレートを維持するかまたは低下させるかを判断し、フレームレートを低下させることでソースドライバ及びゲートドライバの出力電圧の変換回数を減らすことができて、消費電力を低減する目的を達成する。
【図面の簡単な説明】
【００２１】
【図１】本発明の一実施形態に係るアクティブマトリクス電気泳動表示装置のフレームレート自動調整用の駆動装置を示す図である。
【図２】本発明の一実施形態に係るアクティブマトリクス電気泳動表示装置のフレームレート自動調整用の駆動方法を示すフローチャートである。
【図３】本発明の他の実施形態に係るアクティブマトリクス電気泳動表示装置のフレームレート自動調整用の駆動装置を示す図である。
【図４】本発明の他の実施形態に係るアクティブマトリクス電気泳動表示装置のフレームレート自動調整用の駆動方法を示すフローチャートである。
【図５】本発明に係るアクティブマトリクス電気泳動表示装置のフレームレート自動調整用の駆動方法の駆動電圧信号及び制御信号を示す図である。
【図６】本発明に係るアクティブマトリクス電気泳動表示装置のフレームレート自動調整用の駆動方法の駆動電圧信号及び制御信号を示す図である。
【図７】本発明に係るアクティブマトリクス電気泳動表示装置のフレームレート自動調整用の駆動方法の駆動電圧信号及び制御信号を示す図である。
【図８】本発明に係るアクティブマトリクス電気泳動表示装置のフレームレート自動調整用の駆動方法の駆動電圧信号及び制御信号を示す図である。
【図９】本発明に係るアクティブマトリクス電気泳動表示装置のフレームレート自動調整用の駆動方法の制御信号及び最終フレームレート制御信号を示す図である。
【発明を実施するための形態】
【００２２】
以下、本発明の目的、特徴及び利点をより明確にするために、図面を参照しながら、本発明の好適な実施形態について詳しく説明する。また、以下の実施形態に記載されている、方向を表す用語、例えば、上、下、頂、底、前、後、左、右、内、外、側面、周囲、中央、水平、横方向、垂直、縦方向、軸方向、径方向、最上層または最下層などは、単なる図面の方向の参照にすぎない。そのため、使用される、方向を表す用語は、本発明を説明するためのものであるが、本発明の範囲を限定するものではない。
【００２３】
図１は、本発明の一実施形態に係るアクティブマトリクス電気泳動表示装置のフレームレート自動調整用の駆動装置１００を示す図である。図１に示す駆動装置１００は、アクティブマトリクス電気泳動表示装置（未図示）を駆動し、駆動電圧信号メモリ２、位相生成部３、位相信号処理部４、画面データ記憶ユニット５、時系列制御ユニット６、ソースドライバ７１、ゲートドライバ７２、ＯＲ回路８及びラッチ信号生成部９を含む。以下、駆動装置１００の各部品の構造、組立及び動作原理について、詳しく説明する。
【００２４】
駆動電圧信号メモリ２には、複数の駆動電圧信号が記憶されている。各駆動電圧信号は、１つの色を表示するように電気泳動表示装置を駆動する。例えば、第１駆動電圧信号が共通駆動電極を伝送し、第２駆動電圧信号が白色を表示するように電気泳動表示装置を駆動し、第３駆動電圧信号が黒色を表示するように電気泳動表示装置を駆動し、第４駆動電圧信号が赤色を表示するように電気泳動表示装置を駆動する。本実施形態において、各駆動電圧信号の複数の信号区間は、複数のフレームによって区分される。
【００２５】
図１に示すように、位相生成部３は、駆動電圧信号メモリ２に電気的に接続され、駆動電圧信号メモリ２に記憶されている複数の駆動電圧信号を読み取るとともに、各駆動電圧信号の複数の信号区間に対して対応する複数の位相信号を順次生成する。
【００２６】
また、図１に示すように、位相信号処理部４は、位相生成部３に電気的に接続され、位相生成部３により生成された複数の位相信号を受信するとともに、各駆動電圧信号の複数の信号区間に対応する位相信号に基づき、複数の位相信号のうちＮ番目の位相信号とＮ＋１番目の位相信号とが同じであるか否かを比較して処理結果を生成する。例えば、位相信号処理部４は、第１駆動電圧信号に基づいて第１処理結果を生成し、第２駆動電圧信号に基づいて第２処理結果を生成し、第３駆動電圧信号に基づいて第３処理結果を生成し、第４駆動電圧信号に基づいて第４処理結果を生成する。なお、Ｎは、１以上の正整数、例えば、１、２、３、４、５、６、７、８、９、１０などである。
【００２７】
また、他の実施形態において、位相信号処理部４は、複数の位相信号のうちＮ番目の位相信号とＮ＋１番目の位相信号とが同一の駆動電圧設定に属するか否かを検出して処理結果を生成してもよい。なお、駆動電圧設定は、設定電圧と、設定電圧によって維持されるフレーム数とを含む。
【００２８】
駆動電圧信号メモリ２のコンテンツ格納フォーマットは３種類に分けられてもよい。まず、第１種のコンテンツ格納フォーマットの構成は、すべて展開した電圧設定が単位となり、各駆動電圧設定が１つのフレームの「出力電圧設定」を表す。例えば、コンテンツ格納フォーマットは、＋１１Ｖ、＋１１Ｖ、＋１１Ｖ、−１１Ｖ、−１１Ｖ、−１１Ｖ，−１１Ｖなどになる。第２種のコンテンツ格納フォーマットの構成は、各駆動電圧設定が単位になり、その単位が複数並ぶ。各駆動電圧設定は、設定電圧と、設定電圧によって維持されるフレーム数とを含む。例えば、コンテンツ格納フォーマットは、（＋１１Ｖ，３  Ｆｒａｍｅｓ），（−１１Ｖ，４  Ｆｒａｍｅｓ），（＋１１Ｖ，３  Ｆｒａｍｅｓ）などになる。最後に、第３種のコンテンツ格納フォーマットの構成は、他の形態の各駆動電圧設定が単位になり、その単位が複数並ぶ。各駆動電圧設定は、設定電圧と、設定電圧によって維持されるフレーム数と、駆動電圧設定の組合せの繰り返し回数とを含む。例えば、コンテンツ格納フォーマットは、｛（＋１１Ｖ，３  Ｆｒａｍｅｓ），（−１１Ｖ，４  Ｆｒａｍｅｓ），Ｒｅｐｅａｔ  ２ｔｉｍｅｓ｝になる。上記３種類の駆動電圧信号メモリ２のコンテンツ格納フォーマットの場合は、複数の位相信号のうちＮ番目の位相信号とＮ＋１番目の位相信号とが同じであるか否かを比較して処理結果を生成することができる。第２種及び第３種の駆動電圧信号メモリ２のコンテンツ格納フォーマットの場合には、複数の位相信号のうちＮ番目の位相信号とＮ＋１番目の位相信号とが同一の駆動電圧設定に属するか否かを検出して処理結果を生成することができる。
【００２９】
図１に示すように、次に、位相信号処理部４は、各処理結果に基づき、電気泳動表示装置のフレームレート（Ｆｒａｍｅ  Ｒａｔｅ）を維持または低下させるための制御信号を算出する。また、ＯＲ回路８は、複数の駆動電圧信号により生成された複数の制御信号の論理和を演算し、最終フレームレート制御信号を得る。なお、最終フレームレート制御信号のハイレベルは、フレームレートの維持を表し、最終フレームレート制御信号のローレベルは、フレームレートの低下を表す。例えば、第１処理結果に基づいて第１制御信号を算出し、第２処理結果に基づいて第２制御信号を算出し、第３処理結果に基づいて第３制御信号を算出し、第４処理結果に基づいて第４制御信号を算出する。次に、第１制御信号、第２制御信号、第３制御信号及び第４制御信号の論理和を演算し、最終フレームレート制御信号を得る。
【００３０】
他の実施形態において、図３に示すように、フレームレート自動調整用の駆動装置１００のＡＮＤ回路８'は、複数の駆動電圧信号により生成された複数の制御信号の論理積を演算し、最終フレームレート制御信号を得る。なお、最終フレームレート制御信号のハイレベルは、フレームレートの低下を表し、最終フレームレート制御信号のローレベルは、フレームレートの維持を表す。
【００３１】
図１に示すように、画面データ記憶ユニット５は、画面データを記憶する。本実施形態において、画面データ記憶ユニット５は、電気泳動表示装置に表示させようとする画面データを記憶するためのメモリ（Ｄｉｓｐｌａｙ  ＲＡＭ）である。
【００３２】
図１に示すように、時系列制御ユニット６は、画面データ記憶ユニット５、位相生成部３及び位相信号処理部４に電気的に接続され、画面データ、複数の位相信号及び最終フレームレート制御信号を受信するとともに、少なくとも１つの駆動電圧選択信号、ラッチ信号及び少なくとも１つのゲート制御信号を算出して出力する。また、ラッチ信号生成部９は、ラッチ信号（Ｓｏｕｒｃｅ  Ｌａｔｃｈ）を時系列制御ユニット６によってソースドライバ７１に伝送する。本実施形態において、時系列制御ユニット６が単一の時系列パターンの場合、制御信号は、この時系列パターンの現在のフレームレートを制御して維持するか、またはフレーム数を減らして時系列パターンの現在のフレームレートを低下させる。また、時系列制御ユニット６が２つの時系列パターンの場合、制御信号は、２つの時系列パターンの切替えを制御する。
【００３３】
図１に示すように、ソースドライバ７１は、時系列制御ユニット６に電気的に接続され、駆動電圧選択信号を受信するとともに、ラッチ信号によって出力電圧の変換を起動させることで画素コンデンサに充電する（未図示）。ゲートドライバ７２は、時系列制御ユニット６に電気的に接続され、ゲート制御信号に基づいてアクティブマトリクス電気泳動表示装置に電圧を出力するように制御する。
【００３４】
上記の構成によれば、まず、位相生成部３は、各駆動電圧信号の複数の信号区間に対して対応する複数の位相信号を順次生成する。次に、位相信号処理部４は、各駆動電圧信号の複数の信号区間に対応する位相信号に基づき、Ｎ番目の位相信号及びＮ＋１番目の位相信号を処理して処理結果を生成する。次に、各駆動電圧信号により生成された処理結果に基づき、電気泳動表示装置のフレームレートを維持または低下させる制御信号を算出する。最後に、ＯＲ回路８は、複数の駆動電圧信号により生成された複数の制御信号の論理和を演算し、最終フレームレート制御信号を得る。こうすることで、各駆動電圧信号の波形が変化しない場合にフレームレートを低下させて、消費電力を低減する目的を達成する。
【００３５】
上記の設計により、位相信号処理部４は、各駆動電圧信号の複数の信号区間に対応する位相信号に基づき、Ｎ番目の位相信号及びＮ＋１番目の位相信号を処理し、電気泳動表示装置のフレームレートを維持するかまたは低下させるかを判断し、ソースドライバ７１及びゲートドライバ７２の出力電圧の変換回数を減らすことができて、消費電力を低減する目的を達成する。
【００３６】
図１及び図２に示すように、本発明の一実施形態に係るアクティブマトリクス電気泳動表示装置の駆動方法は、上記フレームレート自動調整用の駆動装置１００によって電気泳動表示装置を駆動する方法である。フレームレート自動調整用の駆動方法は、位相信号生成ステップＳ２０１、位相信号処理ステップＳ２０２、論理和演算ステップＳ２０３及び出力ステップＳ２０４を含む。以下、各ステップの動作について、詳しく説明する。
【００３７】
図１及び図２に示すように、位相信号生成ステップＳ２０１では、位相生成部３は、駆動電圧信号メモリ２の複数の駆動電圧信号を読み取り、各駆動電圧信号の複数の信号区間に対して対応する複数の位相信号を順次生成する。なお、複数の信号区間は、複数のフレームによって区分される。
【００３８】
図１及び図２に示すように、位相信号処理ステップＳ２０２では、位相信号処理部４は、位相生成部３からの複数の位相信号を受信し、各駆動電圧信号の複数の信号区間に対応する位相信号に基づき、Ｎ番目の位相信号とＮ＋１番目の位相信号とが同じであるか否かを比較して処理結果を生成する。次に、各駆動電圧信号により生成された処理結果に基づき、電気泳動表示装置のフレームレートを維持または低下させるための制御信号を算出する。例えば、図５に示すように、第１駆動電圧信号ＶＣＯＭにより生成された第１処理結果に基づいて第１制御信号ＶＣＯＭ−Ｃｔｒｌを算出する。また、図６に示すように、第２駆動電圧信号Ｗｈｉｔｅにより生成された第２処理結果に基づいて第２制御信号Ｗｈｉｔｅ−Ｃｔｒｌを算出する。また、図７に示すように、第３駆動電圧信号Ｂｌａｃｋにより生成された第３処理結果に基づいて第３制御信号Ｂｌａｃｋ−Ｃｔｒｌを算出する。また、図８に示すように、第４駆動電圧信号Ｒｅｄにより生成された第４処理結果に基づいて第４制御信号Ｒｅｄ−Ｃｔｒｌを算出する。なお、電気泳動表示装置のフレームレートを低下させようとする場合には、電気泳動表示装置のフレームレートを維持する場合のフレームレートの１／２〜１／１６までフレームレートを低下させる。これらの制御信号がハイレベルの場合には、フレームレートをそのまま維持する。一方、これらの制御信号がローレベルの場合には、フレームレートを低下させる。
【００３９】
また、他の実施形態において、位相信号処理ステップＳ２０２では、複数の位相信号のうちＮ番目の位相信号とＮ＋１番目の位相信号とが同一の駆動電圧設定に属するか否かを検出して処理結果を生成してもよい。なお、駆動電圧設定は、設定電圧と、この設定電圧によって維持されるフレーム数とを含む。
【００４０】
図１及び図２に示すように、論理和演算ステップＳ２０３では、ＯＲ回路８は、複数の駆動電圧信号により生成された複数の制御信号の論理和を演算し、最終フレームレート制御信号を得る。最終フレームレート制御信号のハイレベルは、フレームレートの維持を表す。最終フレームレート制御信号のローレベルは、フレームレートの低下を表す。例えば、図９に示すように、第１制御信号ＶＣＯＭ−Ｃｔｒｌ、第２制御信号Ｗｈｉｔｅ−Ｃｔｒｌ、第３制御信号Ｂｌａｃｋ−Ｃｔｒｌ及び第４制御信号Ｒｅｄ−Ｃｔｒｌの論理和を演算し、最終フレームレート制御信号ＦｒａｍｅＲａｔｅ−Ｃｔｒｌを得る。
【００４１】
図３及び図４に示すように、他の実施形態において、フレームレート自動調整用の駆動方法の論理積演算ステップＳ２０３'では、位相信号処理ステップＳ２０２の後、ＡＮＤ回路８'は、複数の駆動電圧信号により生成された複数の制御信号の論理積を演算し、最終フレームレート制御信号を得る。なお、最終フレームレート制御信号のハイレベルは、フレームレートの低下を表す。最終フレームレート制御信号のローレベルは、フレームレートの維持を表す。
【００４２】
図１及び図２に示すように、出力ステップＳ２０４では、画面データ、複数の位相信号及び最終フレームレート制御信号ＦｒａｍｅＲａｔｅ−Ｃｔｒｌを受信し、少なくとも１つの駆動電圧選択信号、ラッチ信号及び少なくとも１つのゲート制御信号を出力する。
【００４３】
以上、位相信号処理部４は、各駆動電圧信号の複数の信号区間に対応する位相信号に基づき、Ｎ番目の位相信号及びＮ＋１番目の位相信号を処理し、電気泳動表示装置のフレームレートを維持するかまたは低下させるかを判断し、ソースドライバ７１及びゲートドライバ７２の出力電圧の変換回数を減らすことができて、消費電力を低減する目的を達成する。
【００４４】
本発明について上述した実施形態を参照して説明したが、これは本発明を限定するものではく、当業者であれば、本発明の精神及び範囲を逸脱しない限り、各種の変動や潤色を加えることができる。したがって、本発明の保護を求める範囲は、特許請求の範囲を基準とする。
【符号の説明】
【００４５】
１００、フレームレート自動調整用の駆動装置
２、駆動電圧信号メモリ
３、位相生成部
４、位相信号処理部
５、画面データ記憶ユニット
６、時系列制御ユニット
７１、ソースドライバ
７２、ゲートドライバ
８、ＯＲ回路
８'、ＡＮＤ回路
９、ラッチ信号生成部
Ｓ２０１、位相信号生成ステップ
Ｓ２０２、位相信号処理ステップ
Ｓ２０３、論理和演算ステップ
Ｓ２０３'、論理積演算ステップ
Ｓ２０４、出力ステップ
ＶＣＯＭ、第１駆動電圧信号
ＶＣＯＭ−Ｃｔｒｌ、第１制御信号
Ｗｈｉｔｅ、第２駆動電圧信号
Ｗｈｉｔｅ−Ｃｔｒｌ、第２制御信号
Ｂｌａｃｋ、第３駆動電圧信号
Ｂｌａｃｋ−Ｃｔｒｌ、第３制御信号
Ｒｅｄ、第４駆動電圧信号
Ｒｅｄ−Ｃｔｒｌ、第４制御信号
ＦｒａｍｅＲａｔｅ−Ｃｔｒｌ、最終フレームレート制御信号
【図１】
2018032006.tif 000003
【図２】
2018032006.tif 000004
【図３】
2018032006.tif 000005
【図４】
2018032006.tif 000006
【図５】
2018032006.tif 000007
【図６】
2018032006.tif 000008
【図７】
2018032006.tif 000009
【図８】
2018032006.tif 000010
【図９】
2018032006.tif 000011